(57)【特許請求の範囲】
【請求項１】
一端が昇降路頂部に配置されたかご側主ロープ固定台に取付けられ、他端が前記昇降路頂部に配置されたおもり側頂部ビームに取付けられているおもり側主ロープ固定台に固定されている主ロープが、該主ロープの一端から下方に位置するかご下プーリを巻き掛け上方向に返してかごを懸架すると共に、前記昇降路頂部に配置されたかご側頂部ビームに取付けら、所定の間隔を介して対となって配置されたプーリに巻き掛けられて下方へ返し、建屋の最下階床面近傍に配置された巻上機の綱車に巻き掛けられて上方へ返し、前記おもり側頂部ビームに取付けられたおもり側頂部プーリに巻き掛けられて下方にあるおもり上プーリで返してつり合おもりを懸架するように構成されたエレベータ装置において、
所定の間隔を介して対となって配置された前記プーリの各々に、該プーリの両者を連結するつなぎブラケットを設けると共に、該つなぎブラケットの間に防振体が介設されていることを特徴とするエレベータ装置。
【請求項２】
請求項１に記載のエレベータ装置において、
前記プーリは、対となって配置されるブラケット間に回転自在に軸支されていると共に、前記ブラケットは、ロッドにより前記かご側頂部ビームに取付けられていることを特徴とするエレベータ装置。
【請求項３】
請求項２に記載のエレベータ装置において、
前記ブラケットにカバーを取外し自在に設置し、かつ、該カバーで前記プーリの周囲を覆ったことを特徴とするエレベータ装置。
【請求項４】
請求項３に記載のエレベータ装置において、
前記カバーは、断面コ字状に形成されていると共に、前記プーリの上面を覆う上面カバーと、前記プーリの側面を覆う側面カバーと、前記プーリの下面を覆う下面カバーと、前記つなぎブラケットの上方で、前記ブラケット間にできる間隙を埋める中面カバーとを備えていることを特徴とするエレベータ装置。
【請求項５】
請求項４に記載のエレベータ装置において、
前記側面カバーには、前記プーリに巻き掛けられる前記主ロープに沿って延在する延長カバーが取付けられていることを特徴とするエレベータ装置。
【請求項６】
請求項５に記載のエレベータ装置において、
前記プーリの正面の一部は、前記ブラケットにより覆われており、該ブラケット自体が前記カバーの一部を形成していることを特徴とするエレベータ装置。
【請求項７】
請求項４に記載のエレベータ装置において、
前記プーリ間にあって前記カバーに回転可能に軸支され、かつ、前記主ロープを所定の押圧力で押圧するテンションローラを備えていることを特徴とするエレベータ装置。
【請求項８】
請求項７に記載のエレベータ装置において、
前記テンションローラは、対となる前記中面カバーに回転可能に支持される軸と、該軸に固定され、前記主ロープに当接するローラ部とを備えていることを特徴とするエレベータ装置。
【請求項９】
請求項１乃至８のいずれか１項に記載のエレベータ装置において、
前記つなぎブラケットは、断面コ字状に形成されていると共に、中央にロッド部材が挿通されるブラケット本体と、端部にボルトが螺合され、前記ブラケット本体を前記ブラケットに取付けるための延長体とを備えていることを特徴とするエレベータ装置。
【請求項１０】
請求項９に記載のエレベータ装置において、
前記防振体は、前記ブラケット本体間に挿通され、外周にタップが切られたロッド部材と、該ロッド部材に支持され、前記ブラケット本体間に配置された防振ゴム又はばねと、前記ロッド部材に螺合され、前記ブラケット本体を側方から押圧する押圧ボルトとを備えていることを特徴とするエレベータ装置。
【発明の詳細な説明】
【技術分野】
【０００１】
本発明はエレベータ装置に係り、特に、所定の間隔を介し対となって配置され、巻上機によって駆動される主ロープが巻き掛けられるプーリを備えてものに好適なエレベータ装置に関する。
【背景技術】
【０００２】
所定の間隔を介し対となって配置され、巻上機によって駆動される主ロープが巻き掛けられるプーリが備えられたエレベータ装置にあって、防振、防音を図るものとして、特許文献１に記載のものを挙げることができる。この特許文献１には、対となるプーリ間に、主ロープを押圧する振れ止め装置を設け、主ロープに生じる振動の増大を抑制し、叩き音などの騒音を低減するものが開示されている。
【０００３】
また、２つのプーリを覆う防音用筐体を設け、プーリが回転する際に生じる騒音が、かご室内に伝達することを防止するものが特許文献２に開示されている。
【先行技術文献】
【特許文献】
【０００４】
【特許文献１】特開２００６−１０３９２４号公報
【特許文献２】特開平１０−１８２０３５号公報
【発明の概要】
【発明が解決しようとする課題】
【０００５】
しかしながら、前述した特許文献１に記載のものでは、所定の間隔を介し対となって配置されるプーリは堅牢に固定され、互いの距離は一定である。
【０００６】
このように、プーリ間の距離が一定であると、かごの移動速度、つり合いおもりの重量、乗客の総重量、主ロープの直径等の条件が揃ったときに主ロープが共振するため、振動を抑制する点でさらなる改善が望まれている。
【０００７】
また、前述した特許文献２に記載のものでは、２つのプーリを防音用筐体により覆い、プーリの回転音がかご室内に伝達することを防止しているが、主ロープがプーリに当たるとき、及び主ロープがプーリから離れるときに発生する衝撃音を抑制する点でさらなる改善が望まれている。
【０００８】
本発明は上述の点に鑑みなされたもので、その目的とするところは、主ロープに生じる振動の増大を抑制することのできるエレベータ装置を提供することにある。
【課題を解決するための手段】
【０００９】
本発明のエレベータ装置は、上記目的を達成するために、一端が昇降路頂部に配置されたかご側主ロープ固定台に取付けられ、他端が前記昇降路頂部に配置されたおもり側頂部ビームに取付けられているおもり側主ロープ固定台に固定されている主ロープが、該主ロープの一端から下方に位置するかご下プーリを巻き掛け上方向に返してかごを懸架すると共に、前記昇降路頂部に配置されたかご側頂部ビームに取付けら、所定の間隔を介して対となって配置されたプーリに巻き掛けられて下方へ返し、建屋の最下階床面近傍に配置された巻上機の綱車に巻き掛けられて上方へ返し、前記おもり側頂部ビームに取付けられたおもり側頂部プーリに巻き掛けられて下方にあるおもり上プーリで返してつり合おもりを懸架するように構成されたエレベータ装置において、所定の間隔を介して対となって配置された前記プーリの各々に、該プーリの両者を連結するつなぎブラケットを設けると共に、該つなぎブラケットの間に、防振体が介設されていることを特徴とする。
【発明の効果】
【００１０】
本発明によれば、主ロープに生じる振動の増大を抑制することができる。
【図面の簡単な説明】
【００１１】
【図１】本発明のエレベータ装置の実施例１におけるかご側頂部プーリ部分を示す正面図である。
【図２】本発明のエレベータ装置の実施例１におけるかご側頂部プーリ部分を示す下部横断面図である。
【図３】本発明のエレベータ装置の実施例１におけるご側頂部プーリ部分を示す側面図である。
【図４】本発明のエレベータ装置の実施例１におけるつなぎブラケット及び防振体を示す平面図である。
【図５】本発明のエレベータ装置の実施例１におけるつなぎブラケット及び防振体を示す正面図である。
【図６】本発明のエレベータ装置の実施例２におけるかご側頂部プーリ部分を示す正面図である。
【図７】本発明のエレベータ装置の実施例２におけるご側頂部プーリ部分を示す上部横断面図である。
【図８】本発明のエレベータ装置の実施例２におけるよるかご側頂部プーリ部分を示す下部横断面図である。
【図９】本発明のエレベータ装置の実施例２におけるよるかご側頂部プーリ部分を示す側面図である。
【図１０】本発明のエレベータ装置の実施例２における上面カバーを示す平面図である。
【図１１】本発明のエレベータ装置の実施例２における上面カバーを示す正面図である。
【図１２】本発明のエレベータ装置の実施例２における上面カバーを示す側面図である。
【図１３】本発明のエレベータ装置の実施例２における側面カバーを示す平面図である。
【図１４】本発明のエレベータ装置の実施例２における側面カバーを示す正面図である。
【図１５】本発明のエレベータ装置の実施例２における側面カバーを示す側面図である。
【図１６】本発明のエレベータ装置の実施例２における下面カバーを示す平面図である。
【図１７】本発明のエレベータ装置の実施例２における下面カバーを示す正面図である。
【図１８】本発明のエレベータ装置の実施例２における下面カバーを示す側面図である。
【図１９】本発明のエレベータ装置の実施例２における中面カバーを示す正面図である。
【図２０】本発明のエレベータ装置の実施例２における中面カバーを示す側面図である。
【図２１】本発明のエレベータ装置の実施例２におけるテンションローラを示す正面図である。
【図２２】本発明のエレベータ装置の実施例２におけるテンションローラを示す側面図である。
【図２３】本発明のエレベータ装置の実施例１の全体構成を示す斜視図である。
【図２４】図２３の平面図である。
【発明を実施するための形態】
【００１２】
以下、図示した実施例に基づいて本発明のエレベータ装置を説明する。なお、各実施例において、同一構成部品には同符号を使用する。
【実施例１】
【００１３】
先ず、図２３及び図２４を用いて、本発明が適用されるエレベータ装置の全体構成を説明する。
【００１４】
該図に示すエレベータ装置は、機械室なしでつり合おもりが後ろ配置の構成のものである。
【００１５】
図２３及び図２４において、主ロープ１は、その一端が、昇降路頂部に配置したかご側主ロープ固定台２に取付けられている。そして、主ロープ１は、その一端から下方に位置するかご３のかご下プーリ４を巻き掛けられ上方向に返してかご３を懸架し、昇降路頂部に配置したかご側頂部ビーム５に取付けられたかご側頂部プーリ６ａ、６ｂに巻き掛けられて下方へ返し、最下階床面近傍に配置された巻上機７の綱車に巻き掛けられて上方へ返し、昇降路頂部に配置したおもり側頂部ビーム８に取付けたおもり側頂部プーリ９に巻き掛けられて下方にあるつり合おもり１０のおもり上プーリ１１で返してつり合おもり１０を懸架して、おもり側頂部ビーム８に取付けてあるおもり側主ロープ固定台１２にその他端が固定されている。
【００１６】
上述したエレベータ装置は、巻上機７を駆動すると、かご３は、かごガイドレール１３及び１４に案内されて昇降すると共に、つり合おもり１０は、おもりガイドレール１５及び１６に案内されて、かご２とは反対方向に昇降する。なお、かご側頂部プーリ６ａ及び６ｂが、前述した所定の間隔を介し対となって配置されるプーリであり、本発明が適用されるものである。
【００１７】
図１乃至図３に、本発明のエレベータ装置の実施例１におけるかご側頂部プーリ部分６ａ及び６ｂの詳細構造を示す。
【００１８】
該図に示す如く、かご側頂部プーリ６ａは、対となって配置されるブラケット１７ａ間に回転自在に軸支されていると共に、このブラケット１７ａは、ロッド１８ａによりかご側頂部ビーム５に取付けられている。一方、かご側頂部プーリ６ｂも同様に、対となって配置されるブラケット１７ｂ間に回転自在に軸支されていると共に、このブラケット１７ｂは、ロッド１８ｂによりかご側頂部ビーム５に取付けられている。また、かご側頂部プーリ６ａとかご側頂部プーリ６ｂは、つなぎブラケット１９により連結されていると共に、このつなぎブラケット１９の間に、防振ゴム或いはばね等から成る防振体２０が介設されている。
【００１９】
図４及び図５は、上述したつなぎブラケット１９及び防振体２０の詳細構造を示すものである。
【００２０】
該図に示す如く、つなぎブラケット１９は、略コ字状の断面を有すると共に、その中央高さ位置に後述するロッド部材２０ａ及び２０ｂが挿通されるブラケット本体１９ａ及び１９ｂと、端部にボルト２３ａ及び２３ｂが螺合され、ブラケット本体１９ａ及び１９ｂをブラケット１７ａ及び１７ｂに取付けるための延長体１９ｃとを備えている。
【００２１】
一方、防振体２０は、ブラケット本体１９ａ及び１９ｂ間に挿通され、その外周にタップが切られたロッド部材２０ａ及び２０ｂと、ロッド部材２０ａ及び２０ｂに支持され、ブラケット本体１９ａ及び１９ｂ間に配置される防振ゴム２０ｅと、ロッド部材２０ａ及び２０ｂに螺合され、ブラケット本体１９ａ及び１９ｂを側方から押圧する押圧ボルト２０ｃ及び２０ｄとを備えている。
【００２２】
このような本実施例の構成によれば、かご側頂部プーリ６ａとかご側頂部プーリ６ｂとを連結するつなぎブラケット１９をそれぞれ設けると共に、このつなぎブラケット１９の間に、防振体２０を介設することにより、一方のかご側頂部プーリ６ａ（６ｂ）の振動が他方のかご側頂部プーリ６ｂ（６ａ）に伝達することを防ぐことができ、これによって、主ロープ１の共振を抑え、主ロープ１に生じる振動の増大を効果的に抑制することができる。また、防振体２０が介設されていることにより、主ロープ１が、かご側頂部プーリ６ａ及びかご側頂部プーリ６ｂに入る時及び出る時の噛み込み音等を吸収できる効果がある。
【実施例２】
【００２３】
図６乃至図９に、本発明のエレベータ装置の実施例２におけるかご側頂部プーリ部分６ａ及び６ｂの詳細構造を示す。なお、上述した実施例１に示すものと同一のものには、同一符号を付してある。
【００２４】
該図に示す本実施例によるエレベータ装置は、上述した実施例１のように構成されたかご側頂部プーリ６ａ及び６ｂは、上面カバー２１ａ、側面カバー２１ｂ、延長カバー２１ｃ、下面カバー２１ｄ及び中面カバー２１ｅにより構成されたカバー２１により周囲全体が覆われていると共に、かご側頂部プーリ６ａ及び６ｂ間にあってカバー２１に回転可能に軸支され、主ロープ１を所定の押圧力で押圧するテンションローラ２２が設けられているものである。
【００２５】
なお、かご側頂部プーリ６ａ及び６ｂの正面の一部は、ブラケット１７ａ及び１７ｂにより覆われており、ブラケット１７ａ及び１７ｂ自体もカバー２１の一部を形成している。
【００２６】
図１０乃至図１２に、上述したカバー２１を構成する上面カバー２１ａの詳細構造を示す。
【００２７】
該図に示す如く、上面カバー２１ａは略コ字状の断面を有し、かご側頂部プーリ６ａ及び６ｂの上面を覆うものであり、この上面カバー２１ａには、ビス孔２１ａ１が形成されており、このビス孔２１ａ１を介してビス（図示せず）によりブラケット１７ａ及び１７ｂの上端に取付けられている。
【００２８】
なお、図１０乃至図１２に示す上面カバー２１ａは、図６に示すロッド１８ａ、１８ｂ間に位置する長手のカバーであり、ロッド１８ａの外側及びロッド１８ｂの外側に位置する短手のカバーは図示していない。
【００２９】
図１３乃至図１５に、上述したカバー２１を構成する側面カバー２１ｂの詳細構造を示す。
【００３０】
該図に示す如く、側面カバー２１ｂは略コ字状の断面を有し、かご側頂部プーリ６ａ及び６ｂの側面を覆うものであり、この側面カバー２１ｂには、ビス孔２１ｂ１が形成されており、このビス孔２１ｂ１を介してビス（図示せず）により、ブラケット１７ａ及び１７ｂの側端に取付けられている。
【００３１】
また、側面カバー２１ｂには、図６に示すように、かご側頂部プーリ６ａ及び６ｂに巻き掛けられる主ロープ１に沿って延在する延長カバー２１ｃが取付けられている。この延長カバー２１ｃは、コ字状の断面を有する部材が互いに向き合うように配置され、カバー２１に入る主ロープ１及びカバー２１から出る主ロープ１を所定の距離に亘り覆うようになっている。
【００３２】
図１６乃至図１８に、上述したカバー２１を構成する下面カバー２１ｄの詳細構造を示す。
【００３３】
下面カバー２１ｄは、かご側頂部プーリ６ａ及び６ｂの下面を覆うものであり、図１６乃至図１８に示す如く、この下面カバー２１ｄには、ビス孔２１ｄ１が形成されており、このビス孔２１ｄ１を介してビス（図示せず）により、ブラケット１７ａ及び１７ｂの下端に取付けられている。
【００３４】
また、下面カバー２１ｄは、所定の高さ寸法を有し、ブラケット１７ａ及び１７ｂで覆うことのできなかったかご側頂部プーリ６ａ及び６ｂの正面も覆うようになっている。更に、下面カバー２１ｄは、その両側方が解放されており、主ロープ１が出入りする出入口部２１ｄ２を形成していると共に、かご側頂部プーリ６ａ及び６ｂの形状に沿って底部を形成している。
【００３５】
図１９及び図２０に、上述したカバー２１を構成する中面カバー２１ｅの詳細構造を示す。
【００３６】
中面カバー２１ｅは、つなぎブラケット１９の上方で、かつ、ブラケット１７ａとブラケット１７ｂとの間にできる間隙を埋めるように設けられているものであり、この中面カバー２１ｅは対となって設けられ、しかも、ビス孔２１ｅ１が形成されており、このビス孔２１ｅ１を介してビス（図示せずにより、ブラケット１７ａ及び１７ｂの中央側の側端に取付けられている。
【００３７】
このように、カバー２１の上面カバー２１ａ、側面カバー２１ｂ、下面カバー２１ｄ及び中面カバー２１ｅと、ブラケット１７ａ及び１７ｂとにより、かご側頂部プーリ６ａ及び６ｂの全体が覆われるようになっている。
【００３８】
図２１及び図２２に、上述したテンションローラ２２の詳細構造を示す。
【００３９】
該図に示す如く、テンションローラ２２は、対となる中面カバー２１ｅに回転可能に支持される軸２２ａと、この軸２２ａに固定され、主ロープ１に当接するローラ部２２ｂとを備えている。また、ローラ部２２ｂは、主ロープ１の本数及び主ロープ１の直径に合わせて溝２２ｂ１が設けられている。
【００４０】
このテンションローラ２２は、かご側頂部プーリ６ａ及び６ｂ間に張架する主ロープ１に若干の傾斜を持たせることのできる押圧力で主ロープ１に当接させる。
【００４１】
なお、テンションローラ２２を支持する中面カバー２１ｅには、比較的大きな応力が作用することから、この応力を受けることのできる堅牢性（剛性が高い、例えば、肉厚が厚い構成）を備えたものとなっている。
【００４２】
このような本実施例の構成によれば、上述した実施例と同様な効果が得られることは勿論、カバー２１の上面カバー２１ａ、側面カバー２１ｂ、下面カバー２１ｄ及び中面カバー２１ｅと、ブラケット１７ａ及び１７ｂとによりかご側頂部プーリ６ａ及び６ｂの全体を覆う共に、主ロープ１に沿って延在する延長カバー２１ｃによりカバー２１に入る主ロープ１及びカバー２１から出る主ロープ１を所定の距離に亘り覆うことにより、かご側頂部プーリ６ａ及び６ｂの回転音、主ロープ１がかご側頂部プーリ６ａ（６ｂ）に当たるとき、主ロープ１がかご側頂部プーリ６ａ（６ｂ）から離れるときに発生する衝撃音を抑制することができ、乗り心地の良いエレベータを実現することができる。
【００４３】
また、カバー２１は分割構造であることから、保守作業性の向上を図ることができる。
【００４４】
更に、かご側頂部プーリ６ａ及び６ｂ間にあってカバー２１に回転可能に軸支され、主ロープ１を所定の押圧力で押圧するテンションローラ２２を設けたことにより、テンションローラ無しのものと比較し、かご側頂部プーリ６ａ及び６ｂ間における主ロープ１の振動数を高くして、乗客の耳に届き易い周波数の音を低減することができ、これによって、ロープ弦振動による騒音の低減を図ることができる。
【００４５】
なお、本発明は、前記の実施形態例に限定されるものではなく、様々な変形例を含む。例えば、前記の実施形態例は、本発明を分かりやすく説明するために詳細に説明したものであり、本発明は、必ずしも説明した全ての構成を備える態様に限定されるものではない。
【００４６】
また、各図面において、制御線や情報線は説明上必要と考えられるものを記載しており、必ずしも製品として必要な全ての制御線や情報線を記載しているとは限らない。実際の製品では、殆ど全ての構成要素が相互に接続されていると考えてもよい。
【符号の説明】
【００４７】
１…主ロープ、２…かご側ロープ固定台、３…かご、４…かご下プーリ、５…かご側頂部ビーム、６ａ、６ｂ…かご側頂部プーリ、７…巻上機、８…おもり側頂部ビーム、９…おもり側頂部プーリ、１０…つり合いおもり、１１…上プーリ、１２…おもり側ロープ固定台、１３、１４…かごガイドレール、１５、１６…おもりガイドレール、１７ａ、１７ｂ…ブラケット、１８ａ、１８ｂ…ロッド、１９…つなぎブラケット、１９ａ、１９ｂ…ブラケット本体、１９ｃ…延長体、２０…防振体、２０ａ、２０ｂ…ロッド部材、２０ｃ、２０ｄ…押圧ボルト、２０ｅ…防振ゴム、２１…カバー、２１ａ…上面カバー、２１ａ１…上面カバーのビス孔、２１ｂ…側面カバー、２１ｂ１…側面カバーのビス孔、２１ｃ…延長カバー、２１ｄ…下面カバー、２１ｄ１…下面カバーのビス孔、２１ｄ２…下面カバーの主ロープ出入口部、２１ｅ…中面カバー、２１ｅ１…中面カバーのビス孔、２２…テンションローラ、２２ａ…軸、２２ｂ…ローラ部、２２ｂ１…溝、２３ａ、２３ｂ…ボルト。
【図１】
0006370739.tif 000002
【図２】
0006370739.tif 000003
【図３】
0006370739.tif 000004
【図４】
0006370739.tif 000005
【図５】
0006370739.tif 000006
【図６】
0006370739.tif 000007
【図７】
0006370739.tif 000008
【図８】
0006370739.tif 000009
【図９】
0006370739.tif 000010
【図１０】
0006370739.tif 000011
【図１１】
0006370739.tif 000012
【図１２】
0006370739.tif 000013
【図１３】
0006370739.tif 000014
【図１４】
0006370739.tif 000015
【図１５】
0006370739.tif 000016
【図１６】
0006370739.tif 000017
【図１７】
0006370739.tif 000018
【図１８】
0006370739.tif 000019
【図１９】
0006370739.tif 000020
【図２０】
0006370739.tif 000021
【図２１】
0006370739.tif 000022
【図２２】
0006370739.tif 000023
【図２３】
0006370739.tif 000024
【図２４】
0006370739.tif 000025